【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
地図に関する地図情報と、前記地図上に位置する施設について、前記施設の位置を示す位置情報と、前記施設を分類するジャンルを示すジャンル情報と、前記施設の名称を示す名称情報を有する施設情報と、を有する地図データを記憶する記憶部と、
画像を表示する表示部と、
指定された地点を含む所定範囲の前記地図情報に基づく地図を前記表示部に表示し、前記施設情報に基づいて前記所定範囲に位置する前記施設を検索し、検索された前記施設が分類される前記ジャンル情報を選択可能に表示し、表示された前記ジャンル情報について、取捨選択の操作を受け付け、受け付けた操作に応じて、前記地図上に選択されたジャンルに分類される前記施設の表示を行う制御部と、を備える、
ことを特徴とする情報処理装置。
【請求項２】
前記ジャンル情報は、前記施設を分類する第１ジャンルを示す第１ジャンル情報と、前記第１ジャンルに分類される前記施設を更に分類する第２ジャンルを示す第２ジャンル情報とを対応付けて有し、
前記制御部は、
検索した前記施設が分類される前記第１ジャンル情報の中から選択された前記第１ジャンル情報に対応付く前記第２ジャンル情報を選択可能に表示し、
前記第２ジャンル情報のいずれかが選択された場合、選択された前記第２ジャンル情報以外の前記第２ジャンル情報が示す前記第２ジャンルに分類される前記施設を表示しないようにする、
ことを特徴とする請求項１に記載の情報処理装置。
【請求項３】
前記ジャンル情報は、前記施設を分類する第１ジャンルを示す第１ジャンル情報と、前記第１ジャンルに分類される前記施設を更に分類する第２ジャンルを示す第２ジャンル情報とを対応付けて有し、
前記制御部は、
検索した前記施設に対応する前記第１ジャンル情報の中から選択された前記第１ジャンル情報に対応付く前記第２ジャンル情報を表示し、
選択可能に表示した前記第２ジャンル情報のいずれかに対して除外操作を受け付けた場合に、前記除外操作がされた前記第２ジャンル情報が示す前記第２ジャンルに分類される前記施設を、表示する前記施設の対象から外す、
ことを特徴とする請求項１に記載の情報処理装置。
【請求項４】
前記ジャンル情報は、前記施設を分類する第１ジャンルを示す第１ジャンル情報を有し、
前記制御部は、
選択された前記第１ジャンルに分類される前記施設を表示し、また、選択された前記第１ジャンルに分類される前記施設について、前記施設の名称の頭文字を示す頭文字情報を選択可能に表示し、
前記頭文字情報のいずれかが選択された場合、選択された前記頭文字情報以外の前記頭文字情報が示す頭文字の名称の前記施設を表示しないようにする、
ことを特徴とする請求項１に記載の情報処理装置。
【請求項５】
前記ジャンル情報は、前記施設を分類する第１ジャンルを示す第１ジャンル情報を有し、
前記制御部は、
選択された前記第１ジャンルに分類される前記施設を表示し、また、選択された前記第１ジャンルに分類される前記施設について、前記施設の名称の頭文字を示す頭文字情報を表示し、
選択可能に表示した前記頭文字情報のいずれかに対して除外操作を受け付けた場合に、前記除外操作がされた前記頭文字情報が示す前記頭文字の名称の前記施設を、表示する前記施設の対象から外す、
ことを特徴とする請求項１に記載の情報処理装置。
【請求項６】
前記制御部は、
検索した前記施設について、前記第１ジャンルごとに前記施設の数を特定し、
検索した前記施設の前記第１ジャンル情報のうち、特定した数の多い前記第１ジャンルを示す前記第１ジャンル情報を優先して選択可能に表示し、
表示された前記第１ジャンル情報のいずれかが選択された場合、選択された前記第１ジャンル情報が示す前記第１ジャンルに分類される前記施設の名称を表示する、
ことを特徴とする請求項２から５のいずれか一項に記載の情報処理装置。
【請求項７】
地図上に位置する施設を検索する検索方法であって、
指定された地点を含む所定範囲の地図を表示し、
前記所定範囲に位置する前記施設を検索し、
検索された前記施設が分類されるジャンルを示すジャンル情報を選択可能に表示し、表示された前記ジャンル情報について、取捨選択の操作を受け付け、
受け付けた操作に応じて、前記地図上に選択されたジャンルに分類される前記施設の表示を行う、
ことを特徴とする検索方法。
【請求項８】
検索した前記施設が分類される第１ジャンルを示す第１ジャンル情報の中から選択された前記第１ジャンル情報に対応付き、前記第１ジャンル情報に分類される前記施設を更に分類する第２ジャンルを示す第２ジャンル情報を選択可能に表示し、
前記第２ジャンル情報のいずれかが選択された場合、選択された前記第２ジャンル情報以外の前記第２ジャンル情報が示す前記第２ジャンルに分類される前記施設を表示しないようにする、
ことを特徴とする請求項７に記載の検索方法。
【請求項９】
検索した前記施設が分類される第１ジャンルを示す第１ジャンル情報の中から選択された前記第１ジャンル情報に対応付き、前記第１ジャンル情報に分類される前記施設を更に分類する第２ジャンルを示す第２ジャンル情報を選択可能に表示し、
選択可能に表示した前記第２ジャンル情報のいずれかに対して除外操作を受け付けた場合に、前記除外操作がされた前記第２ジャンル情報が示す前記第２ジャンルに分類される前記施設を、表示する前記施設の対象から外す、
ことを特徴とする請求項７に記載の検索方法。
【請求項１０】
前記ジャンル情報は、前記施設を分類する第１ジャンルを示す前記第１ジャンル情報を有し、
選択された第１ジャンルに分類される前記施設を表示し、また、選択された前記第１ジャンルに分類される前記施設について、前記施設の名称の頭文字を示す頭文字情報を選択可能に表示し、
前記頭文字情報のいずれかが選択された場合、選択された前記頭文字情報以外の前記頭文字情報が示す頭文字の名称の前記施設を表示しないようにする、
ことを特徴とする請求項７に記載の検索方法。
【請求項１１】
前記ジャンル情報は、前記施設を分類する第１ジャンルを示す前記第１ジャンル情報を有し、
選択された前記第１ジャンルに分類される前記施設を表示し、また、選択された前記第１ジャンルに分類される前記施設について、前記施設の名称の頭文字を示す頭文字情報を表示し、
選択可能に表示した前記頭文字情報のいずれかに対して除外操作を受け付けた場合に、前記除外操作がされた前記頭文字情報が示す頭文字の名称の前記施設を、表示する前記施設の対象から外す、
ことを特徴とする請求項７に記載の検索方法。
【請求項１２】
検索した前記施設について、前記第１ジャンルごとに前記施設の数を特定し、
検索した前記施設の前記第１ジャンル情報のうち、特定した数の多い前記第１ジャンルを示す前記ジャンル情報を優先して選択可能に表示し、
表示された前記第１ジャンル情報のいずれかが選択された場合、選択された前記第１ジャンル情報が示す前記第１ジャンルに分類される前記施設の名称を表示する、
ことを特徴とする請求項８から１１のいずれか一項に記載の検索方法。
【手続補正２】
【補正対象書類名】明細書
【補正対象項目名】０００５
【補正方法】変更
【補正の内容】
【０００５】
上記目的を達成するために、本発明の情報処理装置は、地図に関する地図情報と、前記地図上に位置する施設について、前記施設の位置を示す位置情報と、前記施設を分類するジャンルを示すジャンル情報と、前記施設の名称を示す名称情報を有する施設情報と、を有する地図データを記憶する記憶部と、画像を表示する表示部と、指定された地点を含む所定範囲の前記地図情報に基づく地図を前記表示部に表示し、前記施設情報に基づいて前記所定範囲に位置する前記施設を検索し、検索された前記施設が分類される前記ジャンル情報を選択可能に表示し、表示された前記ジャンル情報について、取捨選択の操作を受け付け、受け付けた操作に応じて、前記地図上に選択されたジャンルに分類される前記施設の表示を行う制御部と、を備えることを特徴とする。
【手続補正３】
【補正対象書類名】明細書
【補正対象項目名】０００６
【補正方法】変更
【補正の内容】
【０００６】
また、本発明の情報処理装置は、前記ジャンル情報は、前記施設を分類する第１ジャンルを示す第１ジャンル情報と、前記第１ジャンルに分類される前記施設を更に分類する第２ジャンルを示す第２ジャンル情報とを対応付けて有し、前記制御部は、検索した前記施設が分類される前記第１ジャンル情報の中から選択された前記第１ジャンル情報に対応付く前記第２ジャンル情報を選択可能に表示し、前記第２ジャンル情報のいずれかが選択された場合、選択された前記第２ジャンル情報以外の前記第２ジャンル情報が示す前記第２ジャンルに分類される前記施設を表示しないようにすることを特徴とする。
【手続補正４】
【補正対象書類名】明細書
【補正対象項目名】０００７
【補正方法】変更
【補正の内容】
【０００７】
また、本発明の情報処理装置は、前記ジャンル情報は、前記施設を分類する第１ジャンルを示す第１ジャンル情報と、前記第１ジャンルに分類される前記施設を更に分類する第２ジャンルを示す第２ジャンル情報とを対応付けて有し、前記制御部は、検索した前記施設に対応する前記第１ジャンル情報の中から選択された前記第１ジャンル情報に対応付く前記第２ジャンル情報を表示し、選択可能に表示した前記第２ジャンル情報のいずれかに対して除外操作を受け付けた場合に、前記除外操作がされた前記第２ジャンル情報が示す前記第２ジャンルに分類される前記施設を、表示する前記施設の対象から外すことを特徴とする。
【手続補正５】
【補正対象書類名】明細書
【補正対象項目名】０００８
【補正方法】変更
【補正の内容】
【０００８】
また、本発明の情報処理装置は、前記ジャンル情報は、前記施設を分類する第１ジャンルを示す第１ジャンル情報を有し、前記制御部は、選択された前記第１ジャンルに分類される前記施設を表示し、また、選択された前記第１ジャンルに分類される前記施設について、前記施設の名称の頭文字を示す頭文字情報を選択可能に表示し、前記頭文字情報のいずれかが選択された場合、選択された前記頭文字情報以外の前記頭文字情報が示す頭文字の名称の前記施設を表示しないようにすることを特徴とする。
【手続補正６】
【補正対象書類名】明細書
【補正対象項目名】０００９
【補正方法】変更
【補正の内容】
【０００９】
また、本発明の情報処理装置は、前記ジャンル情報は、前記施設を分類する第１ジャンルを示す第１ジャンル情報を有し、前記制御部は、選択された前記第１ジャンルに分類される前記施設を表示し、また、選択された前記第１ジャンルに分類される前記施設について、前記施設の名称の頭文字を示す頭文字情報を表示し、選択可能に表示した前記頭文字情報のいずれかに対して除外操作を受け付けた場合に、前記除外操作がされた前記頭文字情報が示す前記頭文字の名称の前記施設を、表示する前記施設の対象から外すことを特徴とする。
【手続補正７】
【補正対象書類名】明細書
【補正対象項目名】００１０
【補正方法】変更
【補正の内容】
【００１０】
また、本発明の情報処理装置は、前記制御部は、検索した前記施設について、前記第１ジャンルごとに前記施設の数を特定し、検索した前記施設の前記第１ジャンル情報のうち、特定した数の多い前記第１ジャンルを示す前記第１ジャンル情報を優先して選択可能に表示し、表示された前記第１ジャンル情報のいずれかが選択された場合、選択された前記第１ジャンル情報が示す前記第１ジャンルに分類される前記施設の名称を表示することを特徴とする。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
上記目的を達成するために、本発明は、地図上に位置する施設を検索する検索方法であって、指定された地点を含む所定範囲の地図を表示し、前記所定範囲に位置する前記施設を検索し、検索された前記施設が分類されるジャンルを示すジャンル情報を選択可能に表示し、表示された前記ジャンル情報について、取捨選択の操作を受け付け、受け付けた操作に応じて、前記地図上に選択されたジャンルに分類される前記施設の表示を行うことを特徴とする。
【手続補正１１】
【補正対象書類名】明細書
【補正対象項目名】００１４
【補正方法】変更
【補正の内容】
【００１４】
また、本発明の検索方法は、検索した前記施設が分類される第１ジャンルを示す第１ジャンル情報の中から選択された前記第１ジャンル情報に対応付き、前記第１ジャンル情報に分類される前記施設を更に分類する第２ジャンルを示す第２ジャンル情報を選択可能に表示し、前記第２ジャンル情報のいずれかが選択された場合、選択された前記第２ジャンル情報以外の前記第２ジャンル情報が示す前記第２ジャンルに分類される前記施設を表示しないようにすることを特徴とする。
【手続補正１２】
【補正対象書類名】明細書
【補正対象項目名】００１５
【補正方法】変更
【補正の内容】
【００１５】
また、本発明の検索方法は、検索した前記施設が分類される第１ジャンルを示す第１ジャンル情報の中から選択された前記第１ジャンル情報に対応付き、前記第１ジャンル情報に分類される前記施設を更に分類する第２ジャンルを示す第２ジャンル情報を選択可能に表示し、選択可能に表示した前記第２ジャンル情報のいずれかに対して除外操作を受け付けた場合に、前記除外操作がされた前記第２ジャンル情報が示す前記第２ジャンルに分類される前記施設を、表示する前記施設の対象から外すことを特徴とする。
【手続補正１３】
【補正対象書類名】明細書
【補正対象項目名】００１６
【補正方法】変更
【補正の内容】
【００１６】
また、本発明の検索方法は、前記ジャンル情報は、前記施設を分類する第１ジャンルを示す前記第１ジャンル情報を有し、選択された第１ジャンルに分類される前記施設を表示し、また、選択された前記第１ジャンルに分類される前記施設について、前記施設の名称の頭文字を示す頭文字情報を選択可能に表示し、前記頭文字情報のいずれかが選択された場合、選択された前記頭文字情報以外の前記頭文字情報が示す頭文字の名称の前記施設を表示しないようにすることを特徴とする。
【手続補正１４】
【補正対象書類名】明細書
【補正対象項目名】００１７
【補正方法】変更
【補正の内容】
【００１７】
また、本発明の検索方法は、前記ジャンル情報は、前記施設を分類する第１ジャンルを示す前記第１ジャンル情報を有し、選択された前記第１ジャンルに分類される前記施設を表示し、また、選択された前記第１ジャンルに分類される前記施設について、前記施設の名称の頭文字を示す頭文字情報を表示し、選択可能に表示した前記頭文字情報のいずれかに対して除外操作を受け付けた場合に、前記除外操作がされた前記頭文字情報が示す頭文字の名称の前記施設を、表示する前記施設の対象から外すことを特徴とする。
【手続補正１５】
【補正対象書類名】明細書
【補正対象項目名】００１８
【補正方法】変更
【補正の内容】
【００１８】
また、本発明の検索方法は、検索した前記施設について、前記第１ジャンルごとに前記施設の数を特定し、検索した前記施設の前記第１ジャンル情報のうち、特定した数の多い前記第１ジャンルを示す前記ジャンル情報を優先して選択可能に表示し、表示された前記第１ジャンル情報のいずれかが選択された場合、選択された前記第１ジャンル情報が示す前記第１ジャンルに分類される前記施設の名称を表示することを特徴とする。
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】